(57)【要約】【課題】着用者の安全性を確保するとともに、着用者からの発塵による防塵効果に優れ、しかも低コストで製造できる防塵フードを提供する。【解決手段】フード本体１１と、着用者３０の目元に相当する第１領域に設けられた目元開口部と、着用者３０の鼻から口元までに相当する第２領域に設けられたマスク部１２とを有し、目元開口部には、保護メガネ２０がフード本体１１に一体的に組み込まれ、保護メガネ２０の内側外周には、防塵フード１０を着用したときに保護メガネ２０を着用者３０の顔に密着させ、かつ防塵フード１０内部にて第１領域と上記第２領域とを仕切り、着用者３０の呼気の侵入を防止する樹脂部材又はゴム部材２２が設けられる。また、保護メガネ２０は着用者用の耳掛け２１を有するか、又は鼻掛けを有するか、或いは耳掛け及び鼻掛けの双方を有する。【選択図】図１
2013253344.tif 000002
【特許請求の範囲】
【請求項１】
着用者の頭部から肩までの部分を包み込み、前記着用者からの発塵を防止するための防塵素材で作られたフード本体と、前記フード本体の前記着用者の目元に相当する第１領域に前記着用者の視界確保のために設けられた目元開口部と、前記フード本体の前記着用者の鼻から口元までに相当する第２領域に設けられたマスク部とを有する防塵フードにおいて、
前記目元開口部には、保護メガネが前記フード本体に一体的に組み込まれたことにより前記目元開口部をなくし、
前記保護メガネの内側外周には、前記防塵フードを着用したときに前記保護メガネを前記着用者の顔に密着させ、かつ前記防塵フード内部にて前記第１領域と前記第２領域とを仕切り、前記着用者の呼気の侵入を防止する樹脂部材又はゴム部材が設けられ、
前記保護メガネは前記防塵フード内部にて前記着用者の頭部の位置ズレを防止する前記着用者用の耳掛けを有するか、又は前記防塵フードを前記着用者の鼻で保持し、前記着用者の頭部の位置ズレを防止する鼻掛けを有するか、或いは前記耳掛け及び前記鼻掛けの双方を有する
ことを特徴とする防塵フード。
【請求項２】
前記保護メガネが前記フード本体から取外し可能に一体的に組み込まれた請求項１記載の防塵フード。
【請求項３】
前記フード本体側面にサイドファスナーが設けられた請求項１又は２記載の防塵フード。
【発明の詳細な説明】
【技術分野】
【０００１】
本発明は、クリーンルーム等の清浄な空間内で作業する作業者が着用するための防塵フードに関する。更に詳しくは、その着用者の安全性を確保すると共に、着用者より発生した塵埃等による汚染を防止するための防塵フードに関するものである。
【背景技術】
【０００２】
半導体製造メーカー等で使用される防塵フードとしては、現在、図６のタイプのものが主流になっている。図６に示すように、防塵素材で形成されたフード本体５１の目元部分に、視野を確保するための目元開口部５２が設けられたタイプのものである。このタイプの防塵フード５０は、軽量で、非常にシンプルな造りとなっていることから、作業中の着用者３０への負担や量産性の点で優れる。しかし、目元開口部５２が設けられているため、この開口部５２から着用者３０より発生した塵埃や呼気が外部へ流出し、防塵効果が十分に得られないという問題があった。
【０００３】
このような問題を解消するため、従来、鼻と左右の頬との段差部分を埋める形状に柔軟部材によって形成された柔軟なパッド部を、フード部の目出し用の開口部の下の位置に配し、そのパッド部につながる柔軟なまちをフード部のマスク部の上部に連結してなることを特徴とする防塵フードが開示されている（例えば、特許文献１参照。）。この特許文献１に示される防塵フードでは、上記パッド部等を設けることで、鼻及び左右の頬に対する密着性を向上させている。これにより、従来の防塵フードを着用したときに鼻及び左右の頬との段差部分に形成される空間を無くし、人体より発生した塵埃が、当該段差部分に形成される空間を通過して目元開口部から外部へ流出するのを防止できるとされている。
【０００４】
また、上記目元開口部が設けられたタイプの改良品として、透明フィルムを用いた防塵フード等も開示されている（例えば、特許文献２参照。）。この特許文献２に示された防塵フードは、頭部を包むフード本体の目の位置の開口部を透明フィルムで覆い、鼻より口に至る位置がフード本体に取り付けられた通気性素材で覆われた構造になっている。この特許文献２に示された防塵フードでは、目元開口部が透明フィルムで覆われているため、まつ毛等の人体からの剥離物が落下するのを防止できるとされている。
【０００５】
もう一つのタイプの防塵フードは、例えば重厚な透明部材や密閉されたフード内で呼吸するためのホース等が設けられたタイプのものである。このようなタイプの防塵フードとしては、従来、防塵性素材で作られた頭部と顔を一体に包む布フードと、鼻と口を覆うマスク部と、マスク部の外側から内側に貫通する差込孔に装着されたホースと、排気用のファンユニットが設けられたクリーンルーム用フードが開示されている（例えば、特許文献３参照。）。このクリーンルーム用フードでは、高い防塵性を有し、吐いた息による暑苦しさが無く快適であること、内側の騒音が少なく、極めて良好な着用感が得られるとされている。また、このタイプのものでは、着用者の頭部全体を透明部材で覆い、密閉するように構成されたものも存在する。
【先行技術文献】
【特許文献】
【０００６】
【特許文献１】特開平１０−１５５８９２４号公報（請求項１、段落［０００４］、段落［００１２］、段落［００１５］）
【特許文献２】特開平１０−１２７７９７号公報（請求項１、段落［０００４］）
【特許文献３】特開２００１−８１６２２（請求項１，２、段落［００２２］）
【発明の概要】
【発明が解決しようとする課題】
【０００７】
しかしながら、上記従来の特許文献１に示された目元開口部を有するタイプの防塵フードでは、鼻及び左右の頬との段差部分に形成される空間は小さくなるものの、依然として目元開口部を有していることから、この目元開口部からの塵埃の漏洩やまつげ等の落下までを防止することはできない。また、上記特許文献２に示された、目元開口部に透明フィルムが設けられた防塵フードでは、目元開口部からの塵埃の漏洩やまつ毛等の落下は防止できるが、目元開口部に設けられた透明フィルムが、着用者の呼気によって曇り、視界を遮るという問題が生じる。そのため、鼻より口に至る位置に通気性素材が取り付けられ、また、透明フィルムの上部と側面部に開口部を設置する等の対策がなされている。しかし、この通気性素材や開口部から塵埃が着用者前方へ漏洩し、この漏洩を完全に防止するための対策が十分になされていない。また、着用者が身動きすることにより、目元開口部と着用者の目元位置との間に容易に位置ズレを起こし、視界が狭くなるという問題もあった。
【０００８】
一方、上記特許文献３に示された、重厚な透明部材や密閉されたフード内で呼吸するためのホースが設けられたタイプのものでは、目元開口部からの塵埃の漏洩やまつ毛等の落下も、ほぼ完全に防止できるものの、重厚な造りになっているため、イニシャルコスト及びランニングコストが非常に高くなる。また、上記特許文献１や特許文献２に示されるタイプのものに比べて重量があるため、長時間の着用は着用者に負担を掛けてしまうという問題があった。
【０００９】
本発明の目的は、着用者の安全性を確保するとともに、着用者からの発塵に対する防塵効果に優れ、しかも低コストで製造できる防塵フードを提供することにある。
【課題を解決するための手段】
【００１０】
本発明の第１の観点は、着用者の頭部から肩までの部分を包み込み、上記着用者からの発塵を防止するための防塵素材で作られたフード本体と、上記フード本体の上記着用者の目元に相当する第１領域に上記着用者の視界確保のために設けられた目元開口部と、上記フード本体の上記着用者の鼻から口元までに相当する第２領域に設けられたマスク部とを有する防塵フードにおいて、上記目元開口部には、保護メガネが上記フード本体に一体的に組み込まれたことにより前記目元開口部をなくし、上記保護メガネの内側外周には、上記防塵フードを着用したときに上記保護メガネを上記着用者の顔に密着させ、かつ上記防塵フード内部にて上記第１領域と上記第２領域とを仕切り、上記着用者の呼気の侵入を防止する樹脂部材又はゴム部材が設けられ、上記保護メガネは上記防塵フード内部にて上記着用者の頭部の位置ズレを防止する上記着用者用の耳掛けを有するか、又は上記防塵フードを着用者の鼻で保持し、着用者の頭部の位置ズレを防止する鼻掛けを有するか、或いは耳掛け及び鼻掛けの双方を有することを特徴とする。
【００１１】
本発明の第２の観点は、第１の観点に基づく発明であって、更に上記保護メガネが上記フード本体から取外し可能に一体的に組み込まれたことを特徴とする。
【００１２】
本発明の第３の観点は、第１又は第２の観点に基づく発明であって、更にフード本体側面にサイドファスナーが設けられたことを特徴とする。
【発明の効果】
【００１３】
本発明の第１の観点の防塵フードは、着用者の頭部から肩までの部分を包み込み、上記着用者からの発塵を防止するための防塵素材で作られたフード本体と、上記フード本体の着用者の目元に相当する第１領域に着用者の視界確保のために設けられた目元開口部と、上記フード本体の着用者の鼻から口元までに相当する第２領域に設けられたマスク部とを有する。そして、上記目元開口部には、保護メガネが上記フード本体に一体的に組み込まれ、上記保護メガネの内側外周には、防塵フードを着用したときに保護メガネを着用者の顔に密着させ、かつ防塵フード内部にて上記第１領域と上記第２領域とを仕切り、着用者の呼気の侵入を防止する樹脂部材又はゴム部材が設けられる。このように、本発明の防塵フードでは、目元開口部に上記保護メガネが隙間無く、かつ一体的に設けられるため、着用者の目元を保護するとともに、従来の防塵フードのように、目元開口部から頭髪や着用者に付着した塵埃が外部に流出するのを防止することができる。また、上記保護メガネの内側外周に上記樹脂部材又はゴム部材が設けられることで、着用者の呼気が保護メガネの内側に侵入するのを防止できる。そのため、保護メガネが着用者の呼気によって曇り、視界を遮るのを防止することができる。また、上記保護メガネには、上記着用者用の耳掛け又は鼻掛け或いはこれらの双方が設けられる。これにより、着用者が防塵フードを着用した状態で激しく身動きしても、防塵フードが着用者の耳又は鼻で安定して保持されるため、目元開口部と着用者の目元位置との間に位置ズレを起こすことはない。そのため、当該位置ズレにより視界が狭くなるといった不具合を防止することができる。
【００１４】
本発明の第２の観点の防塵フードは、上記保護メガネが上記フード本体から取外し可能に一体的に組み込まれる。そのため、例えばクリーニング等の際には、傷等が付きやすいレンズ部を備える保護メガネを容易にフード本体から取外し、フード本体のみを洗浄できるので、クリーニング費用等のランニングコストを抑えることができる。
【００１５】
本発明の第３の観点の防塵フードは、上記フード本体側面にサイドファスナーが設けられる。これにより、着用者は、保護メガネをフード本体から取外すことなく、フード本体に取り付けた状態で容易に防塵フードを着用する、或いは取外すことができる。
【図面の簡単な説明】
【００１６】
【図１】本発明実施形態の防塵フードを着用した状態を示す図である。
【図２】本発明実施形態の防塵フードの外観を示す図である。
【図３】本発明実施形態の防塵フードを内側から見た図である。
【図４】本発明実施形態の防塵フードを構成する保護メガネを示す図である。
【図５】本発明実施形態の防塵フードを着用した状態を側面から見たときの断面図である。
【図６】従来の防塵フードを着用者が着用した状態を示す図である。
【発明を実施するための形態】
【００１７】
次に本発明を実施するための形態を図面に基づいて説明する。
【００１８】
図１〜図５は、本発明実施形態の防塵フード１０又はこの防塵フード１０を構成する保護メガネ２０を示す。なお、図１〜図５において、同一符号は同一部品を示す。この防塵フード１０は、図１〜図３に示すように、着用者３０の頭部から肩までの部分を包み込み、上記着用者３０からの発塵を防止するための防塵素材で作られたフード本体１１を有する。フード本体１１は、上記着用者３０の目元に相当する第１領域に上記着用者３０の視界確保のために設けられた目元開口部と、上記フード本体１１の上記着用者３０の鼻から口元までに相当する第２領域に設けられたマスク部１２とを有する。
【００１９】
フード本体１１に用いられる防塵素材としては、特に限定されないが、高い防塵効果があり、耐久性に優れること、また、着用時の快適性の面から、ポリエステル１００％の織布等が好ましい。
【００２０】
第２領域に設けられたマスク部１２は、高性能フィルター素材や上記フード本体１１に用いられる素材と同様、ポリエステル１００％の織布等を組み合わせて用いることができるが、織り方や糸の太さ等を変更することで、高い防塵性と快適性を両立させることが望ましい。
【００２１】
また、フード本体１１の側面や後面等には、着用者が快適な呼吸を行うことができるように、呼気による熱をフード外へ逃がすように、通気性素材によって形成された箇所を設けることも可能である。この通気性素材には、上記フード本体１１の形成に用いられる素材と同様、ポリエステル１００％の織布等を用いることができるが、編み方や糸の太さ等を変更することでメッシュ目を調整し、通気性がより確保されたものを用いる。このとき、当該領域の外側部分には、上記フード本体１１に用いられる防塵素材を用いて、図３に示すような二重構造に形成するのが望ましい。
【００２２】
そして、本発明の防塵フード１０は、上記目元開口部に、保護メガネ２０がフード本体１１に一体的に組み込まれる。保護メガネ２０は、例えば面ファスナーのような部材を用いるか又ははめ込み式の方法により、フード本体１１に隙間無く、取外し可能に取り付けられる。これにより、作業中に取りつけ部に隙間が生じて、この隙間から着用者より発生した塵埃等がフード本体１１外部へ流出するのを防止することができる。また、着用時には、上述の部材又は方法によって保護メガネ２０がフード本体１１にしっかりと固定されているため、着用者が作業中に激しく身動きしても、フード本体１１から保護メガネ２０が容易に外れることもない。
【００２３】
一方、保護メガネ２０は、上述の部材又は方法によって、取外し可能にフード本体１１に取り付けられているため、作業が終了し、クリーニング等を行う際には保護メガネ２０をフード本体１１から容易に取外し、フード本体１１のみを洗浄することができる。
【００２４】
また、本発明の防塵フード１０を構成する保護メガネ２０には、図１及び図４に示すように、その内側外周、即ち着用者３０の目元との接触部分に、樹脂部材又はゴム部材２２が設けられる。この樹脂部材又はゴム部材２２が設けられることによって、防塵フード１０を着用したときには、図５に示すように、保護メガネ２０を、ほぼ隙間無く着用者３０の顔に密着させることができる。また、樹脂部材又はゴム部材２２が設けられることによって、防塵フード１０内部において上記第１領域と上記第２領域とを仕切り、第１領域に着用者３０の呼気が侵入するのを防止することができる。これにより、着用者３０の呼気によって保護メガネ２０が曇り、視界を遮るのを防止することができる。なお、樹脂部材又はゴム部材２２は、保護メガネ２０の内側外周全面に設けられるのが望ましいが、呼気の侵入を防止する効果を大幅に妨げない程度に、部分的に設けられていても良い。
【００２５】
上記樹脂部材又はゴム部材２２としては、滑り止め効果があり、密着性を付与できる材質のものが好ましい。このような部材としては、ウレタン系エラストマー、軟質塩化ビニール製の部材等が挙げられる。
【００２６】
また、上記保護メガネ２０は、上記防塵フード１０内部にて着用者３０の頭部の位置ズレを防止するための耳掛け２１を有する。これにより、作業中に着用者３０は、保護メガネ２０を直接耳に掛けて、防塵フード１０を安定して保持することができる。また、図１〜図４に示すように、この保護メガネ２０には、着用者３０の鼻の位置に相当する部分に、凹状の鼻掛け２３が設けられる。これにより、防塵フード１０を着用者３０の鼻によっても保持することできる。そのため、着用者３０が作業中に激しく身動きしても、保護メガネ２０と着用者の目元位置とに間に位置ズレを起こすことなく、視界を良好に保つことができる。
【００２７】
保護メガネ２０のレンズ部分は、着用者の視界を良好に保つため、また、着用者の目元部分を保護するために、透明度及び強度が高く、更に軽量化が図れる部材により形成される。このような部材としては、ポリカーボネイト等の透明部材が挙げられる。なお、曇り止め効果を向上させるため、当該レンズ部分の両面には、防曇加工が施されているのが望ましい。
【００２８】
また、フード本体１１側面には、図１〜図３に示すように、サイドファスナー１３が設けられる。これにより、着用者は、保護メガネ２０をフード本体１１から取外すことなく、フード本体１１に取り付けた状態で容易に防塵フード１０を着用する、或いは取外すことができる。なお、図１〜図３には、フード本体１１の左側面にサイドファスナー１３を設けた例を示したが、サイドファスナー１３の位置はこの例に限定されず、右側面に設けてもよい。
【００２９】
以上、本発明の防塵フードは、クリーンルーム等の清浄な空間内で作業する着用者の安全性を確保すると共に、着用者に付着したホコリや頭髪等によってクリーンルーム内のウェーハ等が汚染されるのを防止する高い防塵効果を備える。また、低コストで製造することができ、量産性にも優れる。更に、従来の重厚な透明部材や密閉されたフード内で呼吸するためのホースが設けられたタイプの防塵フードに比べ、１／１０程度の重量に抑えられ、軽量化を図ることができる。
【符号の説明】
【００３０】
１０   防塵フード
１１   フード本体
１２   マスク部
１３   サイドファスナー
２０   保護メガネ
２１   耳掛け
２２   樹脂部材又はゴム部材
２３   鼻掛け
【図１】
2013253344.tif 000003
【図２】
2013253344.tif 000004
【図３】
2013253344.tif 000005
【図４】
2013253344.tif 000006
【図５】
2013253344.tif 000007
【図６】
2013253344.tif 000008